(57)【要約】【課題】商品を収納して輸送する際にその商品の姿勢を保持して移動したり転倒したりすることを防止する商品輸送用箱体を提供する。【解決手段】周囲全面を囲む左側板１１、右側板１２、前側板１３及び後側板１４と、底面を閉じる底板１５とを備えた折畳コンテナ１０において、前側板１３と後側板１４の間に商品保持用のゴム紐２０を張架した。【選択図】図１
0003212562.tif 000002
【実用新案登録請求の範囲】
【請求項１】
周囲全面を囲む左側板、右側板、前側板及び後側板と、底面を閉じる底板と、を備えた商品輸送用箱体において、
前記左側板と前記右側板の間、前記前側板と前記後側板の間、前記左側板と前記前側板の間、前記左側板と前記後側板の間、前記右側板と前記前側板の間、前記右側板と前記後側板の間のいずれか１つ以上に、商品保持用のゴム紐を張架したことを特徴とする商品輸送用箱体。
【請求項２】
請求項１に記載の商品輸送用箱体において、
前記左側板に１又は横方向に並ぶ２以上の第１穴が形成され、前記右側板に１又は横方向に並ぶ２以上の第２穴が形成され、前記前側板に１又は横方向に並ぶ２以上の第３穴が形成され、前記後側板に１又は横方向に並ぶ２以上の第４穴が形成され、
前記ゴム紐は、前記第１穴と前記第２穴の間、前記第３穴と前記第４穴の間、前記第１穴と前記第３穴の間、前記第１穴と前記第４穴の間、前記第２穴と前記第３穴の間、前記第２穴と前記第４穴の間、のいずれか１つ以上に挿通されることで張架されていることを特徴とする商品輸送用箱体。
【考案の詳細な説明】
【技術分野】
【０００１】
本考案は、シャンプーやリンスその他の商品を車輌によって輸送するために使用するバケットや折畳コンテナ等の商品輸送用箱体に関するものである。
【背景技術】
【０００２】
例えば、シャンプー、リンス、液体洗剤等の家庭用商品は、工場で生産されてから段ボール箱で梱包され、物流センタに納品される。
【０００３】
物流センタでは、ドラッグストア、コンビニエンスストア等の店舗から届く注文に基づいて、それらの梱包を開いて注文された商品を取り出し、５０リットル又は３５リットル程度の容量のプラスチック製のバケットや折畳コンテナに、指定本数又は指定個数を収納する。折畳コンテナは、特許文献１に記載がある。
【０００４】
バケットや折畳コンテナは、商品が絶えず満杯になるよう収納されることが望ましいが、すべてのバケットや折畳コンテナがそのようになることはなく、場合によっては、当該バケットや折畳コンテナの収容容量の１０〜２０％程度しか収納されないこともあり得る。
【０００５】
輸送トラックの運転手は、商品が収納されたバケットや折畳コンテナをパレット（荷役台）に搭載し、又は個々にフォークリフト又は手によって、当該輸送トラックの荷台に積み込んで、指定された店舗に輸送してそこで荷下ろしをし、納入することになる。
【０００６】
ここで、バケットや折畳コンテナへの商品の収納比率が少ないときは、その商品が例えばバケットの底板で転倒することがある。このとき、商品がシャンプー、リンス、液体洗剤等の液物の場合では、キャップの締め具合が不十分なときに液漏れが発生し、他の商品を汚したり、返品対象として品質にクレームがつく場合がある。また、バケットや折畳コンテナに商品を満杯に収納した場合は、トラックの輸送中の揺れにより互いに擦れ合って、商品ラベルの表面印刷部分や商品箱の表面印刷部分に共ズレの損傷が発生し、これも返品やクレームの対象に至る場合がある。
【０００７】
一方、顧客であるドラッグストアやコンビニエンスストア等の店舗では、輸送されてきた注文の商品がバケットあるいは折畳コンテナ内に雑然と入っている場合には、違和感を生じ、商品が整列していることが望まれる。
【０００８】
このように、バケットや折畳コンテナへの商品の収納比率が少ない場合は、転倒による問題に加えて、見栄えの劣化によって商品価値の低下を招く場合もあり、その防止が要望されている。
【先行技術文献】
【特許文献】
【０００９】
【特許文献１】特開２００８−１３７６６８号公報
【考案の概要】
【考案が解決しようとする課題】
【００１０】
そこで、上記のようなクレームや顧客の印象悪化を防ぐために、仕切板を使用して商品を整列させたり、緩衝材により商品同士の共ズレを防止することが一部行われているが、この手法を採用する際には、運転手がその仕切板や緩衝材を持ち帰らなければならない手間や、紛失によるコストアップ等の問題があり、実際には、運転手が大変苦労しているのが現状である。
【００１１】
本考案の目的は、ゴム紐を使用することで商品を収納して輸送する際にその商品の姿勢を保持して移動したり転倒したりすることを防止できるようにした商品輸送用箱体を提供することである。
【課題を解決するための手段】
【００１２】
上記目的を達成するために、請求項１にかかる考案の商品輸送用箱体は、周囲全面を囲む左側板、右側板、前側板及び後側板と、底面を閉じる底板と、を備えた商品輸送用箱体において、
前記左側板と前記右側板の間、前記前側板と前記後側板の間、前記左側板と前記前側板の間、前記左側板と前記後側板の間、前記右側板と前記前側板の間、前記右側板と前記後側板の間のいずれか１つ以上に、商品保持用のゴム紐を張架したことを特徴とする。
請求項２にかかる考案は、請求項１に記載の商品輸送用箱体において、前記左側板に１又は横方向に並ぶ２以上の第１穴が形成され、前記右側板に１又は横方向に並ぶ２以上の第２穴が形成され、前記前側板に１又は横方向に並ぶ２以上の第３穴が形成され、前記後側板に１又は横方向に並ぶ２以上の第４穴が形成され、前記ゴム紐は、前記第１穴と前記第２穴の間、前記第３穴と前記第４穴の間、前記第１穴と前記第３穴の間、前記第１穴と前記第４穴の間、前記第２穴と前記第３穴の間、前記第２穴と前記第４穴の間、のいずれか１つ以上に挿通されることで張架されていることを特徴とする。
【考案の効果】
【００１３】
本考案によれば、バケットや折畳コンテナ等の商品輸送用箱体の内側にゴム紐が張架されるので、そのゴム紐によって商品輸送用箱体の内側に仕切りができ、商品を保持できるため、商品の転倒や共ズレ等を回避することができる。このため、商品に品質劣化が生じることが防止でき、また収納状態の見栄えも良好にできるという優れた利点を発揮することができる。また、商品輸送用箱体が折畳コンテナの場合は、折り畳んだとき、つまり不使用時には、ゴム紐の張力が緩められるので、そのゴム紐の寿命を長くすることができる。
【図面の簡単な説明】
【００１４】
【図１】本考案の第１実施例の折畳コンテナの上面斜視図である。
【図２】同実施例の折畳コンテナの折畳途中の上面斜視図である。
【図３】同実施例の折畳コンテナの折畳状態の上面斜視図である。
【図４】本考案の第２実施例のバケットの上面斜視図である。
【考案を実施するための形態】
【００１５】
＜第１実施例＞
図１に本考案の第１実施例のプラスチック製の折畳コンテナ１０を示す。この折畳コンテナ１０は、周囲全面を囲む左側板１１、右側板１２、前側板１３及び側板１４と、底面を閉じる底板１５と、側板１１〜１４の上端部がヒンジ結合される四角形状の上部フレーム１６とで構成されている。なお、「ヒンジ結合」とは、２枚の板材の対向する端部が回動可能にヒンジ（蝶番）で結合されていることを示す。
【００１６】
左側板１１は下端部と両側端部がどこにも結合されず、上端部が上フレーム１６の左辺部１６ａにヒンジ結合され、内側上方向に回動可能に構成されている。
【００１７】
右側板１２も下端部と両側端部がどこにも結合されず、上端部が上フレーム１６の右辺部１６ｂにヒンジ結合され、左側板１１と同様に、内側上方向に回動可能に構成されている。
【００１８】
前側板１３は、前側上板１３Ａと前側下板１３Ｂで構成され、それら前側上板１３Ａと前側下板１３Ｂの両側端部はどこにも結合されていないが、前側上板１３Ａの上端部が上フレーム１６の前辺部１６ｃにヒンジ結合され、前側下板１３Ｂの下端部が底板１５の前辺部１５ａにヒンジ結合され、前側上板１３Ａの下端部と前側下板１３Ｂの上端部がヒンジ結合されている。
【００１９】
後側板１４は、後側上板１４Ａと後側下板１４Ｂで構成され、それら後側上板１４Ａと後側下板１４Ｂの両側端部はどこにも結合されていないが、後側上板１４Ａの上端部が上フレーム１６の後辺部１６ｄにヒンジ結合され、後側下板１４Ｂの下端部が底板１５の後辺部１５ｂにヒンジ結合され、後側上板１４Ａの下端部と後側下板１４Ｂの上端部がヒンジ結合されている。
【００２０】
そして、前側板１３の前側下板１３Ｂと後側板１４の後側下板１４Ｂの間の中央部分に、２本のゴム紐２０が所定の張力をもって張架されている。このゴム紐２０は、直径が３〜５ｍｍ程度の丸形又は幅５ｍｍ厚み２ｍｍ程度の平形のものが好ましい。
【００２１】
このゴム紐２０は、その一方の端を、前側下板１３Ｂに形成した穴１３Ｂ１に外側から内側に挿通させ、続けて後側下板１４Ｂに形成した穴１４Ｂ１の内側から外側に挿通させ、さらにその穴１４Ｂ１から離れた位置に形成した穴１４Ｂ２に外側から内側に挿通してから、前側下板１３Ｂの穴１３Ｂ２に内側から外側に挿通したものであり、ゴム紐２０の両端は前側下板１３Ｂの外側で結ばれている。２１はゴム紐２０の両端の結び部である。なお、前側下板１３Ｂの穴１３Ｂ１と１３Ｂ２の間隔と後側下板１４Ｂの穴１４Ｂ１と１４Ｂ２の間隔はほぼ同じで、転倒を防止すべき商品の幅より若干狭くなるよう設定されている。これにより、折畳コンテナ２０の内部は左側板１１から右側板１２にかけて３分割されることになる。
【００２２】
穴１３Ｂ１，１３Ｂ２，１４Ｂ１，１４Ｂ２は、底板１５の上面からの例えば７０ｍｍ程度の高さに形成されており、これによりゴム紐２０は底板１５の上面から７０ｍｍ程度の高さに張り巡らされることになる。したがって、転倒の防止が要請される例えばシャンプーやリンス等の商品を、２本のゴム紐２０の間に並べて一列に収納すれば、その姿勢を保持して転倒を防止することができる。
【００２３】
また、この折畳コンテナ１０は、空箱の状態で、左側板１１の下部と右側板１２の下部をそれぞれ内側に回動させてから、前側板１３の前側上板１３Ａと前側下板１３Ｂの間を内側に折り曲げるとともに、後側板１４の後側上板１４Ａと後側下板１４Ｂの間を内側に折り曲げれば、図２に示すように折り畳まれて、最終的には図３に示すように全体が完全に平坦になるように折り畳まれる。なお、ゴム紐２０は、左側板１１と右側板１２を内側上方向に回動させる際に邪魔にならないように、それら左側板１１と右側板１２の回動範囲の外側に位置するように張架されている。
【００２４】
このように折り畳んだ状態では、前側下板１３Ｂと後側下板１４Ｂが近接するので、それらの間に張架されているゴム紐２０は緩んだ状態で内部に収納される。
【００２５】
ゴム紐２０は、穴１３Ｂ１，１３Ｂ２，１４Ｂ１，１４Ｂ２を挿通させて両端を結べば、２本が張り巡らされるように取り付けられるので、その取り付けと取り外しは容易である。
【００２６】
なお、前側板１３の前側下板１３Ｂと後側板１４の後側下板１４Ｂに形成するゴム紐２０の挿通用の穴は、それぞれ２個に限られものではなく、３個以上を形成して、収納する商品の大きさに応じて使用する穴を選択できるようにすることもでき、またゴム紐２０が３本以上になるように張架することもできる。
【００２７】
＜第２実施例＞
図４に本考案の第２実施例のプラスチック製のバケット３０を示す。このバケット３０は、周囲全面を囲む左側板３１、右側板３２、前側板３３及び側板３４と、底面を閉じる底板３５と、側板３１〜３４の上端部が結合される四角形状の上部フレーム３６とで構成されている。このバケット３０は折畳型ではなく形状変更できない。
【００２８】
そして、左側板３１には３個の穴３１ａ，３１ｂ，３１ｃが、右側板３２にも３個の穴３２ａ，３２ｂ，３２ｃが、それぞれ横並びで形成されている。また、前側板３３には５個の穴３３ａ，３３ｂ，３３ｃ，３３ｄ，３３ｅが、後側板３４にも５個の穴３４ａ，３４ｂ，３４ｃ，３４ｄ，３４ｅが、それぞれ横並びで形成されている。穴３１ａ〜３１ｃ、３２ａ〜３２ｃ、３３ａ〜３３ｅ、３４ａ〜３４ｅは、底板１５から７０ｍｍ程度の高さに配置されている。
【００２９】
ゴム紐２０は、その一端を穴３１ａから、穴３２ａ→穴３２ｂ→穴３１ｂ→穴３１ｃ→穴３２ｃ→穴３３ｅ→穴３４ｅ→穴３４ｄ→穴３３ｄ→穴３３ｃ→穴３４ｃ→穴３４ｂ→穴３３ｂ→穴３３ａ→３４ａに挿通し、右側板３１と後側板３４の角部外側において、他端と結び部２１で結んでいる。
【００３０】
この結果、バケット３０の内部は、ゴムヒム２０によって１２個に区画されるので、所望の区画部分に商品を配置すれば、バケット３０に外部から振動が加わった場合でも、その商品の姿勢を保持して転倒を防止することができる。
【００３１】
なお、ゴム紐２０は、左側板３１と右側板３２の間や、前側板３３と後側板３４の間に平行になるように張架するのみならず、左側板３１と右側板３２の間、前側板３３と後側板３４の間、左側板３１と前側板３３の間、左側板３１と後側板３３の間、右側板３２と前側板３３の間、右側板３１と後側板３３の間に、斜め方向（例えば対角線方向）に張架することもできる。後者の場合は、ゴム紐２０で囲まれる区画形状を方形以外の多角形状にできるので、多種類の大きさ多種類の形状の商品の姿勢保持に有用となる。
【符号の説明】
【００３２】
１０：折畳コンテナ、１１:左側板、１２：右側板、１３：前側板、１３Ａ：前側上板、１３Ｂ：前側下板、１４：後側板、１４Ａ：後側上板、１４Ｂ：後側下板、１５：底板、１６：上フレーム
２０：ゴム紐、２１：結び部
３０：バケット、３１:左側板、３２：右側板、３３：前側板、３４：後側板、３５：底板、３６：上フレーム
【図１】
0003212562.tif 000003
【図２】
0003212562.tif 000004
【図３】
0003212562.tif 000005
【図４】
0003212562.tif 000006